(57)【要約】【課題】押し込み力の小さい押上式硬貨通路を有する硬貨払出装置を提供する。【解決手段】硬貨通路２０内に複数の逆止装置２４が順番に配置される。硬貨４が硬貨通路２０内に押し込まれたとき、逆止装置２４に含まれる浮動体２４１を位置規制溝２４３において上方に浮動させることにより、硬貨４と硬貨通路２０との間の摩擦力を低減し、押し込み力を低減することができる。また、硬貨４が２つの逆止装置２４の間に押し込まれたとき、硬貨４自身の重さによる摩擦力により、浮動体２４１を下方に転動またはスライドさせ、浮動体２４１を位置規制溝２４３の硬貨通路２０の方向に漸次縮小される形状の支持面２４３１に締付挟持する。これにより、厚さの異なる硬貨４が重なって引っかかり、構造が破損するのを防止することができる上、構造が簡単で、故障率が低く、良好な逆止効果を有する。【選択図】図２
2011108218.tif 000002
【特許請求の範囲】
【請求項１】
硬貨押出装置およびレールを含み、
前記硬貨押出装置は、硬貨が収容されるホッパを含み、前記ホッパには、動力装置によって駆動される回転円盤が配置され、前記硬貨押出装置の一方の側部には、前記回転円盤により硬貨が押し出される硬貨出口が形成され、
前記レールは、前記硬貨押出装置に接合され、前記硬貨出口と対向して前記硬貨が順番に通過する硬貨通路を含み、前記硬貨通路の内部には、複数の逆止装置が順番に配置され、前記逆止装置は、前記硬貨の上面により押し上げられて上方に浮動したり、或いは、下方に転動またはスライドして締付挟持されたりする浮動体を含み、前記硬貨は、前記硬貨通路上の湾曲部において、底面が所定の傾斜角度でスライド支持され、下方から上方に平坦部まで押し上げられ、貼合状態が形成されることを特徴とする押上式硬貨通路を有する硬貨払出装置。
【請求項２】
前記硬貨押出装置のホッパの底部の開口に配置される回転円盤は、複数の硬貨落下孔および押上部材を含み、前記回転円盤の下方には、収容室を含むベース台が配置され、前記回転円盤に接続される動力装置は、前記収容室の内部に配置され、前記動力装置は、モータを含み、前記モータに接続された伝動機構が前記回転円盤を駆動し、回転させることを特徴とする請求項１記載の押上式硬貨通路を有する硬貨払出装置。
【請求項３】
前記ベース台の傾斜状の上面の一方の側部には、硬貨出口が形成され、前記硬貨出口の内側には、ガイド部および複数のストッパ体が配置されることを特徴とする請求項２記載の押上式硬貨通路を有する硬貨払出装置。
【請求項４】
前記レールに含まれる前記硬貨通路の下方には、底板が配置され、前記底板は、下方から上方に湾曲部および平坦部が順番に設けられ、前記硬貨通路の両側には、ガイドレール板が対向配置され、前記硬貨通路の上方には、蓋板が配置され、前記ガイドレール板と前記蓋板との間の硬貨通路内には、浮動体を含む複数の逆止装置が順番に配置されることを特徴とする請求項１記載の押上式硬貨通路を有する硬貨払出装置。
【請求項５】
前記浮動体の両側辺の前記ガイドレール板および前記蓋板上には、互いに対向する位置規制溝がそれぞれ設けられ、前記２つの位置規制溝の底部には、前記硬貨通路と反対の方向に漸次縮小される形状の支持面が形成され、前記位置規制溝と前記支持面との間には、前記硬貨が前記浮動体を押し上げて浮動させたり、或いは、挟持位置決めしたりするための受止空間が形成されることを特徴とする請求項４記載の押上式硬貨通路を有する硬貨払出装置。
【請求項６】
前記２つの浮動体の間隔は、１０ｍｍであり、前記硬貨の厚さは、１．６ｍｍ〜２．３ｍｍであり、前記硬貨の直径は、２１ｍｍ〜２６ｍｍであることを特徴とする請求項５記載の押上式硬貨通路を有する硬貨払出装置。
【請求項７】
前記蓋板の上面の両側には、前記ガイドレール板を貫通し、前記底板上に螺入される複数の螺合部材が配置されることを特徴とする請求項４記載の押上式硬貨通路を有する硬貨払出装置。
【請求項８】
前記レールの上方には、硬貨弾き出し装置が配置され、前記硬貨弾き出し装置に含まれるガイド板の内部には、前記硬貨通路と連通する硬貨払出通路が形成され、前記ガイド板上には、前記硬貨が押し上げることにより回転する硬貨弾き出し部材が配置され、前記硬貨弾き出し部材の底部には、弾性部材が接続されることを特徴とする請求項１記載の押上式硬貨通路を有する硬貨払出装置。
【請求項９】
前記ガイド板上には、硬貨払出通路の内部を硬貨が通過するのを検出することができる検出モジュールが配置されることを特徴とする請求項８記載の押上式硬貨通路を有する硬貨払出装置。
【発明の詳細な説明】
【技術分野】
【０００１】
本発明は、押上式硬貨通路を有する硬貨払出装置に関し、特に、硬貨押出装置の一方の側部の硬貨出口にレールが接合され、レールに含まれる硬貨通路内に複数の逆止装置が順番に配置され、硬貨が逆止装置に含まれる浮動体を押し上げて上方に浮動させたり、或いは、硬貨が浮動体を下方に転動またはスライドさせて締付挟持したりすることにより、押し込み力を低減することができると共に、良好な逆止効果を達成できる押上式硬貨通路を有する硬貨払出装置に関する。
【背景技術】
【０００２】
硬貨払出装置は、硬貨の数量を計算する硬貨計数装置として使用されたり、或いは、両替装置、遊戯装置、自動販売機などの硬貨の払出に使用されたりする装置である。硬貨は、国家が造幣する硬貨であれ、遊技場で使用されるコインであれ、その価値によって寸法が異なるため、初期段階においては、メーカーは、硬貨払出装置が様々な種類の硬貨に対応できるよう、関連する研究および改良を行った。
【０００３】
一般に、硬貨払出装置は、モータにより、複数のピンが等間隔に配置された回転円盤を回転させる。硬貨出口の内側および外側には、ガイド部材およびマイクロスイッチがそれぞれ配置される。回転円盤を回転させることにより、ピンがホッパ内の硬貨を硬貨出口の内側まで押し上げ、ガイド部材が硬貨を送り出す。また、硬貨が硬貨払出口を通過するとき、マイクロスイッチに接触し、硬貨が計数される。また、両替装置、遊戯装置または自動販売機を運転するときの安定性を確保するため、通常、硬貨払出装置のホッパは、下方に配置され、ホッパ内の硬貨は、所定の重量を有するため、硬貨払出装置の重心が低くなる。また、回転円盤と硬貨払出口との間には、輸送ベルトまたはレールが接続され、硬貨は、輸送ベルトまたはレール内の硬貨通路を通って上方の硬貨払出口まで送り出される。これにより、ユーザは、座った姿勢または立った姿勢で便利に硬貨を取り出すことができる。
【０００４】
図８を参照する。図８は、従来の硬貨払出装置のレールの構造を示す斜視図である。図８から分かるように、レールＡに含まれる底板Ａ１の上方の両側には、ガイドレール板Ａ２がそれぞれ配置される。底板Ａ１と２つのガイドレール板Ａ２との間には、硬貨Ｂが通過するガイド溝Ａ３が形成される。ガイドレール板Ａ２上の固定板Ａ４には、螺合部材Ａ４１により、積層された状態の弾性板Ａ５が螺合接続される。弾性板Ａ５と固定板Ａ４とは、十字に交差するように接続される。各弾性板Ａ５の両側から延伸する湾曲した形状の支持端Ａ５１は、下方のガイド溝Ａ３内にそれぞれ進入し、波状に配列される。モータが伝動機構を駆動し、回転円盤を回転させたとき、回転円盤が硬貨ＢをレールＡ内のガイド溝Ａ３に押し込み、各弾性板Ａ５上の支持端Ａ５１が硬貨Ｂ上を弾性支持することにより、硬貨Ｂがガイド溝Ａ３を順番に通過するとき、硬貨Ｂが互いに押し合うことにより、重なって引っかかったり、詰まったりする状況が発生するのを防止することができる。
【０００５】
しかし、この方式の場合、回転円盤は、大きな力で硬貨Ｂおよび弾性板Ａ５の反発力を克服する必要がある。また、回転円盤が回転するとき、大きな抵抗力を受けるため、モータの出力トルクを大幅に増大し、回転円盤を回転させる力を増大させる必要がある。これにより、モータの使用コストが増大する上、モータが回転円盤を幾度も高速で回転させるとき、振動および回転力が大きくなり過ぎることにより、全体の構造が損傷および破損したり、モータの回転軸が折れたり、使用寿命が短くなったり、故障率が高まったりする。従って、当業者は、この欠点を解決することを研究目標としていた。
【０００６】
本発明の発明者は、上述の従来技術の欠点に鑑み、関連資料を収集し、本業界における長年の経験に基づき、幾度もの試作および修正を行った結果、ついに本発明の押上式硬貨通路を有する硬貨払出装置を案出した。
【発明の概要】
【発明が解決しようとする課題】
【０００７】
本発明の第１の目的は、硬貨押出装置の一方の側部の硬貨出口に、硬貨出口に対向配置される硬貨通路を含むレールが接合され、硬貨通路内に複数の逆止装置が順番に配置され、硬貨が硬貨通路内に押し込まれたとき、硬貨が逆止装置に含まれる浮動体を硬貨通路の両側の位置規制溝において上方に浮動させ、硬貨を硬貨通路の下方の湾曲部上に所定の傾斜角度でスライド支持することにより、摩擦抵抗力を非常に小さくすることができ、これにより、モータが回転円盤を駆動するとき、硬貨を小さな力で押し出すことができ、押し込み力を低減することができ、わざわざパワーの大きいモータを使用して出力トルクを高めたり、全体の構造強度を高めたりする必要がないため、使用コストを低減することができる硬貨払出装置を提供することにある。
本発明の第２の目的は、硬貨押出装置が硬貨を２つの逆止装置間に押し込んだとき、硬貨自身の重さによる摩擦力により、浮動体を下方に転動またはスライドさせ、位置規制溝内の漸次縮小される形状の支持面に締付挟持することにより、各硬貨が相互に逆方向に押し合ったり、重なり合って詰まったりして、構造が破損したり、故障率が高まったり、モータが稼動しなくなったりする問題を有効に防止することができ、構造が簡単で、組み立てやすい上、故障率が低く、良好な逆止機能を有し、様々な寸法の硬貨に適用し、適用性が高い硬貨払出装置を提供することにある。
【課題を解決するための手段】
【０００８】
上述の課題を解決するために、請求項１の発明は、硬貨押出装置およびレールを含み、硬貨押出装置は、硬貨が収容されるホッパを含み、ホッパには、動力装置によって駆動される回転円盤が配置され、硬貨押出装置の一方の側部には、回転円盤により硬貨が押し出される硬貨出口が形成され、レールは、硬貨押出装置に接合され、硬貨出口と対向して硬貨が順番に通過する硬貨通路を含み、硬貨通路の内部には、複数の逆止装置が順番に配置され、逆止装置は、硬貨の上面により押し上げられて上方に浮動したり、或いは、下方に転動またはスライドして締付挟持されたりする浮動体を含み、硬貨は、硬貨通路上の湾曲部において、底面が所定の傾斜角度でスライド支持され、下方から上方に平坦部まで押し上げられ、貼合状態が形成されることを特徴とする押上式硬貨通路を有する硬貨払出装置である。
【０００９】
請求項２の発明は、硬貨押出装置のホッパの底部の開口に配置される回転円盤は、複数の硬貨落下孔および押上部材を含み、回転円盤の下方には、収容室を含むベース台が配置され、回転円盤に接続される動力装置は、収容室の内部に配置され、動力装置は、モータを含み、モータに接続された伝動機構が回転円盤を駆動し、回転させることを特徴とする請求項１記載の押上式硬貨通路を有する硬貨払出装置である。
【００１０】
請求項３の発明は、ベース台の傾斜状の上面の一方の側部には、硬貨出口が形成され、硬貨出口の内側には、ガイド部および複数のストッパ体が配置されることを特徴とする請求項２記載の押上式硬貨通路を有する硬貨払出装置である。
【００１１】
請求項４の発明は、レールに含まれる硬貨通路の下方には、底板が配置され、底板は、下方から上方に湾曲部および平坦部が順番に設けられ、硬貨通路の両側には、ガイドレール板が対向配置され、硬貨通路の上方には、蓋板が配置され、ガイドレール板と蓋板との間の硬貨通路内には、浮動体を含む複数の逆止装置が順番に配置されることを特徴とする請求項１記載の押上式硬貨通路を有する硬貨払出装置である。
【００１２】
請求項５の発明は、浮動体の両側辺のガイドレール板および蓋板上には、互いに対向する位置規制溝がそれぞれ設けられ、２つの位置規制溝の底部には、硬貨通路と反対の方向に漸次縮小される形状の支持面が形成され、位置規制溝と支持面との間には、硬貨が浮動体を押し上げて浮動させたり、或いは、挟持位置決めしたりするための受止空間が形成されることを特徴とする請求項４記載の押上式硬貨通路を有する硬貨払出装置である。
【００１３】
請求項６の発明は、２つの浮動体の間隔は、１０ｍｍであり、硬貨の厚さは、１．６ｍｍ〜２．３ｍｍであり、硬貨の直径は、２１ｍｍ〜２６ｍｍであることを特徴とする請求項５記載の押上式硬貨通路を有する硬貨払出装置である。
【００１４】
請求項７の発明は、蓋板の上面の両側には、ガイドレール板を貫通し、底板上に螺入される複数の螺合部材が配置されることを特徴とする請求項４記載の押上式硬貨通路を有する硬貨払出装置である。
【００１５】
請求項８の発明は、レールの上方には、硬貨弾き出し装置が配置され、硬貨弾き出し装置に含まれるガイド板の内部には、硬貨通路と連通する硬貨払出通路が形成され、ガイド板上には、硬貨が押し上げることにより回転する硬貨弾き出し部材が配置され、硬貨弾き出し部材の底部には、弾性部材が接続されることを特徴とする請求項１記載の押上式硬貨通路を有する硬貨払出装置である。
【００１６】
請求項９の発明は、ガイド板上には、硬貨払出通路の内部を硬貨が通過するのを検出することができる検出モジュールが配置されることを特徴とする請求項８記載の押上式硬貨通路を有する硬貨払出装置である。
【発明の効果】
【００１７】
１．レールの硬貨通路の内部に配置された複数の逆止装置は、構造が簡単で、組み立てやすい上、硬貨が逆止装置に含まれる浮動体を押し上げて上方に浮動させることにより、押し込み力を低減することができる。また、硬貨自身の重さによる摩擦力により、浮動体を下方に転動またはスライドさせて締付挟持する。これにより、故障率が低く、良好な逆止効果を有すると共に、様々な寸法の硬貨に適用し、適用性が高いという効果を達成することができる。
２．逆止装置は、硬貨が浮動体を押し上げ、硬貨通路の両側の位置規制溝において上方に浮動させ、硬貨の底面が硬貨通路の下方の底板の湾曲部上に所定の傾斜角度でスライド支持されることにより、摩擦抵抗力を非常に小さくすることができるため、モータが回転円盤を駆動するとき、硬貨を簡単に押し出すことができる。これにより、わざわざ性能の高いモータを使用して出力トルクを高めたり、全体の構造強度を強化したりする必要がないため、使用コストを低減することができる。
３．硬貨が２つの逆止装置の間に押し込まれたとき、硬貨自身の重さによる摩擦力により、浮動体を下方に転動またはスライドさせ、位置規制溝内の漸次縮小される形状の支持面に締付挟持する。これにより、硬貨が互いに逆方向に押し合ったり、重なり合って詰まったりすることにより、構造が破損するのを有効に防止することができる。また、回転円盤が硬貨を押し出すときに受ける抵抗力が大き過ぎることにより、モータに接続された回転軸が折れたり、使用寿命が短くなったりするのを防止し、故障率が高まったり、モータが稼動しなくなったりする問題の発生を有効に防止することができる。
【図面の簡単な説明】
【００１８】
【図１】本発明の一実施形態による硬貨払出装置を示す斜視図である。
【図２】本発明の一実施形態による硬貨払出装置を示す分解斜視図である。
【図３】本発明の一実施形態による硬貨払出装置のレールを示す分解斜視図である。
【図４】本発明の一実施形態による硬貨払出装置の使用前の状態を示す断面図である。
【図５】本発明の一実施形態による硬貨払出装置の使用中の状態を示す俯瞰図である。
【図６】本発明の一実施形態による硬貨払出装置の使用中の状態を示す断面図である。
【図７】本発明の一実施形態による硬貨払出装置の使用後の状態を示す断面図である。
【図８】従来の硬貨払出装置のレールの構造を示す斜視図である。
【発明を実施するための形態】
【００１９】
本発明の目的、特徴および効果を示す実施形態を図面に沿って詳細に説明する。
【００２０】
図１〜図３を参照する。図１は、本発明の一実施形態による硬貨払出装置を示す斜視図である。図２は、本発明の一実施形態による硬貨払出装置を示す分解斜視図である。図３は、本発明の一実施形態による硬貨払出装置のレールを示す分解斜視図である。図１〜図３から分かるように、本発明の硬貨払出装置は、硬貨押出装置１、レール２および硬貨弾き出し装置３を含む。
【００２１】
硬貨押出装置１は、筐体状のホッパ１１を含む。ホッパ１１の内部には、複数の硬貨４が収容される収容空間１１０が形成される。収容空間１１０の底部に開設される先細状の開口１１１には、複数の硬貨落下孔１２１および押上部材１２２を含む回転円盤１２が配置される。回転円盤１２の下方には、ベース台１４の内部の収容室１４１に配置される動力装置１３が接続される。動力装置１３は、モータ１３１を含み、モータ１３１に接続された伝動機構１３２が回転円盤１２を回転させる。また、ベース台１４の傾斜状の上面の一方の側部には、硬貨出口１４２が形成される。硬貨出口１４２の内側には、ガイド部１４３および複数のストッパ体１４４が配置される。
【００２２】
レール２は、硬貨出口１４２と対向配置されて硬貨４が順番に通過する硬貨通路２０を含む。レール２の硬貨通路２０の下方には、底板２１が配置される。底板２１には、下方から上方に、湾曲部２１１および平坦部２１２が設けられる。硬貨通路２０の左右両側には、互いに対向する２つのガイドレール板２２が配置される。硬貨通路２０の上方には、蓋板２３が配置される。蓋板２３の上面の両側には、ガイドレール板２２を貫通し、底板２１に螺入される複数の螺合部材２３１が配置される。また、レール２のガイドレール板２２と蓋板２３との間の硬貨通路２０内には、複数の逆止装置２４が順番に配置される。逆止装置２４は、浮動体２４１を含む。浮動体２４１の両側辺のガイドレール板２２および蓋板２３上には、互いに対向する位置規制溝２４２，２４３がそれぞれ設けられる。２つの位置規制溝２４２，２４３の底部には、硬貨通路２０と反対の方向に漸次縮小される形状の支持面２４２１，２４３１がそれぞれ形成される。また、位置規制溝２４２，２４３と支持面２４２１，２４３１との間には、硬貨４が浮動体２４１を押し上げて浮動させたり、或いは、浮動体２４１が挟持位置決めされたりするための受止空間２４０が形成される（図６を参照）。
【００２３】
硬貨弾き出し装置３は、ガイド板３１を含み、レール２の上方に配置される。ガイド板３１の内部には、硬貨通路２０と連通する硬貨払出通路３１１が形成される。ガイド板３１上には、硬貨４に押し上げられることにより回転する硬貨弾き出し部材３２が枢動可能に配置される。硬貨弾き出し部材３２の底部には、弾性部材３２１が接続される。また、ガイド板３１上には、硬貨払出通路３１１の内部を硬貨４が通過するのを検出する検出モジュール３３が配置される。
【００２４】
本発明を組み立てるとき、先ず、レール２の下方の接合板２５を底板２１および硬貨押出装置１上のベース台１４と一体に螺合接続する。それと同時に、レール２の内部の硬貨通路２０をベース台１４の傾斜した上面の硬貨出口１４２に位置合わせする。次に、硬貨弾き出し装置３をレール２の上方に設置する。次に、蓋板２３の両側の複数の螺合部材２３１をガイドレール板２２にそれぞれ貫通し、ガイド板３１に螺入する。これにより、ガイド板３１の内部の硬貨払出通路３１１と硬貨通路２０とが連通する。また、レール２は、下方のベース台１４から湾曲した後、ガイド板３１まで上方に延伸する。以上により、本発明の組立が完了する。
【００２５】
上述のレール２は、複数の底板２１、ガイドレール板２２および蓋板２３を含む。底板２１とガイドレール板２２と蓋板２３との間には、硬貨通路２０が形成される。底板２１に設けられる湾曲部２１１および平坦部２１２は、一体成形されるか、或いは、別々の部材から構成される。ここで、本発明の明細書および図面の内容の簡易な修飾および同等効果である変更は、全て本発明の特許請求の範囲に含まれる。
【００２６】
図４〜図７を参照する。図４は、本発明の一実施形態による硬貨払出装置の使用前の状態を示す断面図である。図５は、本発明の一実施形態による硬貨払出装置の使用中の状態を示す俯瞰図である。図６は、本発明の一実施形態による硬貨払出装置の使用中の状態を示す断面図である。図７は、本発明の一実施形態による硬貨払出装置の使用後の状態を示す断面図である。図４〜図７から分かるように、硬貨４の寸法に応じ、硬貨押出装置１のベース台１４の硬貨出口１４２に位置するガイド部１４３を調整して適当な位置に変移させることができる。また、ホッパ１１の収容空間１１０内に硬貨４が投入された後、モータ１３１が伝動機構１３２を駆動し、回転円盤１２を回転させる。これにより、硬貨４が攪拌され、回転円盤１２上の硬貨落下孔１２１内に１つずつ落下する。次に、回転円盤１２の底部の押上部材１２２が硬貨４をストッパ体１４４に接触させる。回転円盤１２の回転により発生した遠心力により、押上部材１２２が硬貨４をガイド部１４３の側辺に沿って押し出し、複数の硬貨４が硬貨出口１４２から順番にレール２の内部の硬貨通路２０にスムーズに押し込まれる。このとき、硬貨４は、逆止装置２４の浮動体２４１を位置規制溝２４２，２４３内において押し上げ、上方に浮動させる。また、硬貨４の底面は、硬貨通路２０の下方の底板２１の湾曲部２１１上に所定の傾斜角度αでスライド支持される。硬貨４と底板２１との間に発生する摩擦抵抗力が非常に小さいため、押し込み力を低減することができる。また、硬貨４は、下方から上方の平坦部２１２まで押し上げられ、貼合状態が形成される。また、硬貨４が２つまたは２つ以上の逆止装置２４の間に押し込まれたとき、２つまたは２つ以上の浮動体２４１が蓋板２３の位置規制溝２４３内の漸次縮小される形状の支持面２４３１に沿って下方に転動またはスライドし、硬貨４の上面の前後両側に支持される。それと同時に、硬貨４は、硬貨４自身の重さによる摩擦力により、浮動体２４１を支持面２４３１の内側に締付挟持する。これにより、硬貨４は、底板２１、２つのガイドレール板２２および蓋板２３により形成される硬貨通路２０内に挟持位置決めされ、各硬貨４が相互に逆方向に押し合ったり、重なり合って詰まることにより、構造が損傷および破損したり、故障率が高まったり、モータ１３１が稼動しなくなったりする問題の発生を有効に防止することができる上、良好な逆止機能を有することができる。
【００２７】
また、硬貨４がレール２の内部の硬貨通路２０から硬貨弾き出し装置３に押し上げられるとき、硬貨４は、ガイド板３１上に枢動可能に配置された硬貨弾き出し部材３２を押し上げて回転させると共に、硬貨弾き出し部材３２に接続された弾性部材３２１を弾性変形させる。このとき、弾性部材３２１の弾性復元力により、硬貨弾き出し部材３２が自動的に復位し、硬貨４を硬貨払出通路３１１に沿って弾き出す。それと同時に、検出モジュール３３により、硬貨払出通路３１１内を硬貨４が通過する状況がスムーズであるか否かを検出することができる。
【００２８】
本発明の押上式硬貨通路を有する硬貨払出装置を使用するとき、以下に示すような従来技術を改善する効果を達成することができる。
【００２９】
１．レール２の硬貨通路２０の内部に配置された複数の逆止装置２４は、構造が簡単で、組み立てやすい上、硬貨４が逆止装置２４に含まれる浮動体２４１を押し上げて上方に浮動させることにより、押し込み力を低減することができる。また、硬貨４自身の重さによる摩擦力により、浮動体２４１を下方に転動またはスライドさせて締付挟持する。これにより、故障率が低く、良好な逆止効果を有すると共に、様々な寸法の硬貨４に適用し、適用性が高いという効果を達成することができる。
２．逆止装置２４は、硬貨４が浮動体２４１を押し上げ、硬貨通路２０の両側の位置規制溝２４３において上方に浮動させ、硬貨４の底面が硬貨通路２０の下方の底板２１の湾曲部２１１上に所定の傾斜角度でスライド支持されることにより、摩擦抵抗力を非常に小さくすることができるため、モータ１３１が回転円盤１２を駆動するとき、硬貨４を簡単に押し出すことができる。これにより、わざわざ性能の高いモータ１３１を使用して出力トルクを高めたり、全体の構造強度を強化したりする必要がないため、使用コストを低減することができる。
３．硬貨４が２つの逆止装置２４の間に押し込まれたとき、硬貨４自身の重さによる摩擦力により、浮動体２４１を下方に転動またはスライドさせ、位置規制溝２４３内の漸次縮小される形状の支持面２４３１に締付挟持する。これにより、硬貨４が互いに逆方向に押し合ったり、重なり合って詰まったりすることにより、構造が破損するのを有効に防止することができる。また、回転円盤１２が硬貨４を押し出すときに受ける抵抗力が大き過ぎることにより、モータ１３１に接続された回転軸が折れたり、使用寿命が短くなったりするのを防止し、故障率が高まったり、モータ１３１が稼動しなくなったりする問題の発生を有効に防止することができる。
【００３０】
以上の説明は、本発明の好適な実施形態を示したものであり、本発明の特許請求の範囲を限定するものではない。本発明のレール２の内部に含まれる硬貨通路２０は、様々な国家で使用される様々な寸法の硬貨４に応じ、拡大または縮小した設計に変更することができる。本発明の一実施形態における最も好適な硬貨４の厚さは、１．６ｍｍ〜２．３ｍｍであり、硬貨４の直径は、２１ｍｍ〜２６ｍｍである。しかし、硬貨４は、実際に応用するとき、その価値によって様々な形状（例えば、円形、多辺形など）および寸法の硬貨４が存在する。レール２の硬貨通路２０内には、複数の逆止装置２４が順番に配置される。具体的な一実施形態において、２つの隣合う逆止装置２４に含まれる２つの浮動体２４１の間隔は、１０ｍｍが最も好ましい。ここで、硬貨４が硬貨通路２０上にスライド支持されたとき、硬貨４の底面と硬貨通路２０の下方の底板の湾曲部２１１との接線方向に所定の傾斜角度αが形成され、下方から上方の平坦部２１２まで押し上げられたとき、貼合状態が形成され、それと同時に、硬貨４の上面が２つまたは２つ以上の逆止装置２４に含まれる浮動体２４１を押し上げ、上方に浮動させたり、或いは、硬貨４自身の重さによる摩擦力により、浮動体２４１を位置規制溝２４３内の漸次縮小される形状の支持面２４３１に沿って下方に転動またはスライドさせ、締付挟持したりする構造であればよい。これにより、押し込み力を低減することができる上、良好な逆止機能を有することができる。ここで、本発明の技術特徴は、上述の内容のみに限定されず、当業者が本発明を利用して容易に考え得る変更または修飾は、全て本発明の特許請求の範囲に含まれる。
【００３１】
上述のように、本発明の押上式硬貨通路を有する硬貨払出装置を使用するとき、確実にその効果および目的を達成できる。本発明は、高い実用性を有する発明であり、特許出願要件に符合し、産業上の利用性、新規性および進歩性を有し、法に基づき、出願を行う。
【符号の説明】
【００３２】
１        硬貨押出装置
１１      ホッパ
１１０    収容空間
１１１    開口
１２      回転円盤
１２１    硬貨落下孔
１２２    押上部材
１３      動力装置
１３１    モータ
１３２    伝動機構
１４      ベース台
１４１    収容室
１４２    硬貨出口
１４３    ガイド部
１４４    ストッパ体
２        レール
２０      硬貨通路
２１      底板
２１１    湾曲部
２１２    平坦部
２２      ガイドレール板
２３      蓋体
２３１    螺合部材
２４      逆止装置
２４０    受止空間
２４１    浮動体
２４２    位置規制溝
２４２１  支持面
２４３    位置規制溝
２４３１  支持面
２５      接合板
３        硬貨弾き出し装置
３１      ガイド板
３１１    硬貨払出通路
３２      硬貨弾き出し部材
３２１    弾性部材
３３      検出モジュール
４        硬貨
Ａ        レール
Ａ１      底板
Ａ２      ガイドレール板
Ａ３      ガイド溝
Ａ４      固定板
Ａ４１    螺合部材
Ａ５      弾性板
Ａ５１    支持端
Ｂ        硬貨
【図１】
2011108218.tif 000003
【図２】
2011108218.tif 000004
【図３】
2011108218.tif 000005
【図４】
2011108218.tif 000006
【図５】
2011108218.tif 000007
【図６】
2011108218.tif 000008
【図７】
2011108218.tif 000009
【図８】
2011108218.tif 000010